(57)【要約】【課題】  ディスクメディアの記録面に付着したダストを除去することができるディスクカートリッジを得る。【解決手段】  ディスクカートリッジ１０では、ディスクメディア１２を回転可能に収容したケース１４にはディスクメディア１２の記録面にアクセスするためのヘッド開口部１６が設けられており、ヘッド開口部１６の一部は第２シャッタ７４がディスクメディア１２の軸心から偏心した支軸５２廻りに回動することで開閉される。第２シャッタ７４におけるヘッド開口部１６の閉塞状態でディスクメディア１２の記録面よりも径方向内側に位置する第２凸部８０には、第２シャッタ７４によるヘッド開口部１６の開閉動作に伴ってディスクメディア１２の記録面を払拭するクリーニング部材９２が設けられている。【選択図】      図２
2005267770.tif 000002
【特許請求の範囲】
【請求項１】
円板状のディスクメディアを回転可能に収容し、前記ディスクメディアの記録面へのアクセス用のヘッド開口部を有するケースと、
前記ケース内における前記ディスクメディアの記録面側に配置され、前記ディスクメディアの軸心から偏心した軸廻りに回動することで前記ヘッド開口部の少なくとも一部を開閉するシャッタと、
前記シャッタにおける前記ヘッド開口部の閉塞状態で前記ディスクメディアの記録面よりも径方向内側に位置する部分に設けられ、該シャッタが前記ヘッド開口部を開閉する動作に伴って前記ディスクメディアの記録面を払拭するクリーニング部材と、
を備えたディスクカートリッジ。
【請求項２】
軸心部にセンタ孔を有する円板状のディスクメディアを回転可能に収容し、ドライブ装置のヘッドが前記ディスクメディアの記録面にアクセスするためのヘッド開口部が設けられたケースと、
前記ケース内における前記ディスクメディアの記録面側に設けられ、前記ディスクメディアの軸心と同軸的に回動して前記ヘッド開口部の一部を開閉する第１シャッタと、
前記ケース内における前記ディスクメディアの記録面側に設けられ、前記第１シャッタとは異なる軸廻りに回動して前記ヘッド開口部の残余の一部を開閉する第２シャッタと、
前記第１シャッタに設けられた円弧状の第１凸部と前記第２シャッタに設けられた円弧状の第２凸部とを有し、前記ヘッド開口部の閉塞状態で前記第１凸部と第２凸部とが周方向端部を突き合わせることで環状に形成されて前記ディスクメディアのセンタ孔周りの面に当接するディスク内周受け部と、
前記第２凸部に設けられ、前記第２シャッタが前記ヘッド開口部を開閉する動作に伴って前記ディスクメディアの記録面を払拭するクリーニング部材と、
を備えたディスクカートリッジ。
【請求項３】
前記クリーニング部材を不織布にて構成した、ことを特徴とする請求項１または請求項２記載のディスクカートリッジ。
【請求項４】
前記クリーニング部材は、前記ディスクメディアがドライブ装置によって回転駆動される際に前記記録面から離間する、ことを特徴とする請求項１乃至請求項３の何れか１項記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、コンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、ディスクメディアの記録面側にアクセスした記録ヘッドによって該ディスクメディアの記録層へレーザ光、またはレーザ光及び磁場の両者が照射される。これにより、ディスクメディアでは、記録層の分解及び／または昇温によるピット形成や相変化、磁化反転等によって情報の記録が為され、またはレーザ光の反射率や偏光角を再生ヘッドで読み取って記録された情報の再生が行なわれるようになっている。
【０００３】
このようなディスクメディアの高記録容量化に伴い、ディスクメディアの記録面側の表面（記録層を被覆するカバー層）への塵埃等の付着を防止するために、ディスクメディアをケースの収容部内に収容したディスクカートリッジが知られている（例えば、特許文献１参照）。このようなディスクカートリッジでは、ケースにおけるディスクメディアの記録面側に、ディスクメディアのセンタ孔及び記録面にアクセスするためのチャッキング開口部及びヘッド開口部が設けられている。これらの開口は、インナロータによって駆動される一対のシャッタによって開閉されるようになっている。
【０００４】
また、ケースにおけるディスクメディアに対しチャッキング開口部及びヘッド開口部とは反対側に、ディスクメディアの出し入れを可能とする開口部を設けたディスクカートリッジが知られている（例えば、特許文献２参照）。このディスクカートリッジでは、上記開口部を設けると共に、インナロータを含む一対のシャッタを同一平面で動作させることにより、薄型化を図るようになっている。このディスクカートリッジについて、図１０に基づいて説明する。
【０００５】
図１０に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。ケース１０２内におけるディスクメディアと底板１０２Ａとの間には、ディスクメディアと同軸的に回動可能に支持された第１シャッタ１０８と、ケース１０２におけるディスクメディアの径方向外側に回動軸１１２を有する第２シャッタ１１０とが設けられている。
【０００６】
第１シャッタ１０８と第２シャッタ１１０とは、図１０（Ａ）に示す如く互いの突き当て端である当接端面１０８Ａ、１１０Ａを突き当ててヘッド開口部１０６を閉塞し、チャッキング開口部１０４については常時開放状態を維持する。そして、第１シャッタ１０８を矢印Ｇ方向に回動すると共に第２シャッタ１１０をヘッド開口部１０６に対し矢印Ｇとは略反対の矢印Ｈ方向に回動することで、図１０（Ｂ）に示される如く、ヘッド開口部１０６が開放される。
【０００７】
また、第１シャッタ１０８の上面及び第２シャッタ１１０の上面からは、それぞれ平面視で円弧状に形成された凸部１１４、１１６が突設されている。一対の凸部１１４、１１６は、ヘッド開口部１０６の閉塞状態で互いに周方向端部を当接させ、全体として平面視でチャッキング開口部１０４を囲む環状を成す。この環状に形成された凸部１１４、１１６の上端面にディスクメディア１２の軸心部に設けられたセンタ孔周りの面が当接するようになっている。これにより、チャッキング開口部１０４を経由したディスクメディアの記録面側へのダスト類の侵入が阻止される。
【特許文献１】特開２００３−１１５１８４号公報
【特許文献２】特開２００３−２４２７４０号公報
【発明の開示】
【発明が解決しようとする課題】
【０００８】
ところで、シャッタによってヘッド開口部を開閉するディスクカートリッジでは、保存時や運搬時等の不使用時にはヘッド開口部がシャッタによって閉塞されてディスクメディアの記録面側への塵埃の侵入が防止されるが、ドライブ装置内においてヘッド開口部を開放した状態でケース１０２内に侵入したダスト類（塵埃等）が、その後の保存時等においてディスクメディアの記録面に付着することを防止することはできない。また、ダスト類は記録面に軽付着するため、ディスクメディアの回転時の遠心力や、ディスクメディアの回転に伴う表層空気流により除去されることが多いが、完全に除去することはできない。特に、遠心力や表層空気流が弱いディスクメディアの内周側においては、ディスクメディアの回転に伴いダスト類が除去され難い。
【０００９】
しかしながら、上記各ディスクカートリッジでは、ケース内に侵入したダスト類がディスクメディアの記録面に付着してしまうことの対策について何ら考慮されていなかった。
【００１０】
本発明は、上記事実を考慮して、ディスクメディアの記録面に付着したダストを除去することができるディスクカートリッジを得ることが目的である。
【課題を解決するための手段】
【００１１】
上記目的を達成するために請求項１記載の発明に係るディスクカートリッジは、円板状のディスクメディアを回転可能に収容し、前記ディスクメディアの記録面へのアクセス用のヘッド開口部を有するケースと、前記ケース内における前記ディスクメディアの記録面側に配置され、前記ディスクメディアの軸心から偏心した軸廻りに回動することで前記ヘッド開口部の少なくとも一部を開閉するシャッタと、前記シャッタにおける前記ヘッド開口部の閉塞状態で前記ディスクメディアの記録面よりも径方向内側に位置する部分に設けられ、該シャッタが前記ヘッド開口部を開閉する動作に伴って前記ディスクメディアの記録面を払拭するクリーニング部材と、を備えている。
【００１２】
請求項１記載のディスクカートリッジでは、ケースに収容されたディスクメディアの記録面へのアクセス用のヘッド開口部は、ディスクメディアの記録面とケースにおけるヘッド開口部形成部との間に配置されたシャッタがディスクメディアの軸心とは偏心した軸廻りに回動することで開閉される。ヘッド開口部が開放された状態では、ディスクメディアはドライブ装置によって回転駆動され、ヘッド開口部からアクセスするドライブ装置のヘッドによって情報の記録または記録された情報の再生が為される。すなわち、ケースは、ディスクメディアのドライブ装置による回転駆動を可能とするように、該ディスクメディアを相対回転可能に収容している。
【００１３】
ここで、シャッタにおけるヘッド開口部の閉塞状態でディスクメディアの記録面よりも径方向内側に位置する部分に設けられたクリーニング部材が、ヘッド開口部の開閉動作すなわち上記軸廻りの回動によってディスクメディアの記録面における少なくとも内周側の一部を払拭するため、仮にディスクメディアの記録面にダスト類が付着していても、該ダスト類が記録面から除去されるか、記録面への付着力が弱まって除去されやすくなる。このため、ディスクメディアの記録面に付着したダスト類は、ディスクメディアの回転に伴う遠心力や表層空気流が弱い記録面の内周側内部分においても、該遠心力や表層空気流によって記録面から効果的に除去される。
【００１４】
このように、請求項１記載のディスクカートリッジでは、ディスクメディアの記録面に付着したダストを除去することができる。
【００１５】
上記目的を達成するために請求項２記載の発明に係るディスクカートリッジは、軸心部にセンタ孔を有する円板状のディスクメディアを回転可能に収容し、ドライブ装置のヘッドが前記ディスクメディアの記録面にアクセスするためのヘッド開口部が設けられたケースと、前記にケース内おける前記ディスクメディアの記録面側に設けられ、前記ディスクメディアの軸心と同軸的に回動して前記ヘッド開口部の一部を開閉する第１シャッタと、前記にケース内おける前記ディスクメディアの記録面側に設けられ、前記第１シャッタとは異なる軸廻りに回動して前記ヘッド開口部の残余の一部を開閉する第２シャッタと、前記第１シャッタに設けられた円弧状の第１凸部と前記第２シャッタに設けられた円弧状の第２凸部とを有し、前記ヘッド開口部の閉塞状態で前記第１凸部と第２凸部とが周方向端部を突き合わせることで環状に形成されて前記ディスクメディアのセンタ孔周りの面に当接するディスク内周受け部と、前記第２凸部に設けられ、前記第２シャッタが前記ヘッド開口部を開閉する動作に伴って前記ディスクメディアの記録面を払拭するクリーニング部材と、を備えている。
【００１６】
請求項２記載のディスクカートリッジでは、ケースの収容部に収容されたディスクメディアの記録面にドライブ装置のヘッドがアクセスするためのヘッド開口部は、不使用時には第１シャッタと第２シャッタとによって閉塞され、使用時には第１シャッタと第２シャッタとがそれぞれの回動軸心廻りに回動して開放される。第１シャッタと第２シャッタとがヘッド開口部を閉塞した状態では、第１凸部と第２凸部とが周方向端部を突き合わせる（当接または極近接させる）ことで環状に形成されているディスク内周受け部に、ディスクメディアのセンタ孔周りの面が当接している。これにより、チャッキング開口部が閉塞されない構成において、ディスク内周受け部がディスクメディアの記録面側への塵埃等の侵入を阻止する。一方、ヘッド開口部が開放された状態では、ディスクメディアはドライブ装置によって回転駆動され、情報の記録または記録された情報の再生が為される。すなわち、ケースは、ディスクメディアのドライブ装置による回転駆動を可能とするように、該ディスクメディアを相対回転可能に収容している。
【００１７】
ここで、ヘッド開口部の閉塞状態でディスクメディアのセンタ孔周りの面（記録面の径方向内側）に当接する第２凸部に設けられたクリーニング部材が、ヘッド開口部の開閉動作によって第２シャッタと共に第１シャッタ（ディスクメディアの軸心）とは異なる軸廻りに回動しつつディスクメディアの記録面における少なくとも内周側の一部を払拭するため、仮にディスクメディアの記録面にダスト類が付着していても、該ダスト類が記録面から除去されるか、記録面への付着力が弱まって除去されやすくなる。このため、ディスクメディアの記録面に付着したダスト類は、ディスクメディアの回転に伴う遠心力や表層空気流が弱い記録面の内周側内部分においても、該遠心力や表層空気流によって記録面から効果的に除去される。
【００１８】
このように、請求項２記載のディスクカートリッジでは、ディスクメディアの記録面に付着したダストを除去することができる。
【００１９】
請求項３記載の発明に係るディスクカートリッジは、請求項１または請求項２記載のディスクカートリッジにおいて、前記クリーニング部材を不織布にて構成した、ことを特徴としている。
【００２０】
請求項３記載のディスクカートリッジでは、クリーニング部材が不織布にて構成されているため、ディスクメディアの記録面に強く押し付けられることなく該記録面を払拭するようにしても、記録面に付着したダスト類を除去しやすい状態にすることができる。
【００２１】
請求項４記載の発明に係るディスクカートリッジは、請求項１乃至請求項３の何れか１項記載のディスクカートリッジにおいて、前記クリーニング部材は、前記ディスクメディアがドライブ装置によって回転駆動される際に前記記録面から離間する、ことを特徴としている。
【００２２】
請求項４記載のディスクカートリッジでは、ディスクメディアがドライブ装置によって回転駆動される位置に軸線方向に沿って移動すると、クリーニング部材がディスクメディアの記録面から離間する。このため、ディスクメディアの使用時に所定の位置に位置するクリーニング部材が記録面における径方向の特定範囲にのみ接触し続けることが防止される。
【発明の効果】
【００２３】
以上説明したように本発明に係るディスクカートリッジは、ディスクメディアの記録面に付着したダストを除去することができるという優れた効果を有する。
【発明を実施するための最良の形態】
【００２４】
本発明の一実施形態に係るディスクカートリッジ１０について、図１乃至図９に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２５】
図１には、ディスクカートリッジ１０の外観形状が斜視図にて示されており、図２にはディスクカートリッジ１０が分解斜視図にて示されている。これらの図に示される如く、ディスクカートリッジ１０は、円板状に形成された情報記録再生媒体としてのディスクメディア１２を回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００２６】
先ず、ディスクカートリッジ１０の概略全体構成を説明し、その後、本発明の要部であるクリーニング部材について説明することとする。
【００２７】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、図５に示される如く、ディスクメディア１２の下面における外周近傍及びセンタ孔１２Ａ周りの所定範囲を除く部分は、記録層がカバー層にて被覆保護されて形成された記録面（記録領域）１２Ｂとされている。ディスクメディア１２の下面におけるセンタ孔１２Ａの孔縁と記録面１２Ｂの内縁との間の領域は、ドライブ装置の回転スピンドル軸がディスクメディア１２を保持するためのチャッキングエリア１２Ｃとされている。本実施形態では、ディスクメディア１２の直径（外径）は略１２０ｍｍとされている。
【００２８】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００２９】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００３０】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。切欠部３０Ａは、下シェル２６の後述する外周壁４０の切欠部４０Ａとで、ケース１４における右側の側壁の前後方向中央部に略矩形状のシャッタ操作窓４６を構成するようになっている。
【００３１】
下シェル２６は、天板２８に略対応した形状の底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが設けられている。以下の説明では、チャッキング開口部４２とヘッド開口部１６とをまとめてアクセス開口４４という場合がある。ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。
【００３２】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６（図１参照）を形成するようになっている。シャッタ操作窓４６は、後述するインナロータ６０の操作突起６６露出用とされている。
【００３３】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容する収容部としてのディスク収容部５０（図１参照）を形成するようになっている。このディスク収容部５０は、上記の通りディスク開口部２０を通じてディスクメディア１２の出し入れが可能とされている。
【００３４】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。
【００３５】
さらにまた、さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００３６】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００３７】
（シャッタ機構の構成）
シャッタ機構１８は、ケース１４内に設けられている。具体的には、シャッタ機構１８は、ケース１４内に配設されたインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的な回動可能とされている。
【００３８】
環状壁部６２の下端内側には、平板状の第１シャッタ６４が一体的に設けられている。第１シャッタ６４は、環状壁部６２と同軸同径の円板に、アクセス開口４４と略同形状の切欠部６５Ａと、後述する第２シャッタ７４の内周ディスク受け部（円弧リブ）８０の相対移動軌跡に対応した切欠部６５Ｂとを設けた形状とされている。また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００３９】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図６参照）と、ヘッド開口部１６上から退避する開放位置（図９参照）とを取り得るようになっている。すなわち、開放位置に位置する第１シャッタ６４は、その切欠部６５Ａをアクセス開口４４上に略一致して位置させるようになっている。
【００４０】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４１】
また、第１シャッタ６４の上面からは、切欠部６５Ａにおけるチャッキング開口部４２に対応する縁部に沿って円弧状に形成された第１凸部６８が立設されている。第１凸部６８は、後述する第２凸部８０とで環状のディスク内周受け部９０を成し、このディスク内周受け部９０の上端面がディスクメディア１２の上記チャッキングエリア１２Ｃの下面に当接するようになっている。したがって、第１シャッタ６４は、底板３８とディスクメディア１２との間に配置されてヘッド開口部１６の一部を開閉するようになっている。
【００４２】
一方、第１シャッタ６４の上面における外周近傍からは、環状壁部６２の内面とに跨がるように外周受け凸部７０が立設されている。外周受け凸部７０は、第１凸部６８と略同じ高さとされており、ディスクメディア１２の下面における記録面１２Ｂよりも径方向外側の領域が当接するようになっている。これにより、第１シャッタ６４は、閉塞位置に位置すときには第１凸部６８及び外周受け凸部７０において、ディスクメディア１２を下方から支持する構成とされている。
【００４３】
さらに、第１シャッタ６４の下面における外周近傍からは、カム突起７２が突設されている。カム突起７２は、切欠部６５Ｂの径方向外側に配置されており、第２シャッタ７４のカム溝７８（後述）に常に入り込むようになっている。
【００４４】
また、シャッタ機構１８は、第１シャッタ６４が閉塞位置に位置するときにヘッド開口部１６の残余の一部（内周側の一部）を閉塞する、シャッタとしての第２シャッタを備えている。第２シャッタ７４は、平板状に形成されており、底板３８と摺動するようになっている。このため、第１シャッタ６４における第２シャッタ７４の移動領域と干渉する部分、具体的には主に切欠部６５Ｂの径方向外側部分は、他の部分よりも薄肉とされている。すなわち、第２シャッタ７４は、第１シャッタ６４におけるヘッド開口部１６を閉塞する部分よりも薄肉とされている。
【００４５】
この第２シャッタ７４は、長板状に形成されており、長手方向の一端部に下シェル２６の支軸５２に回動自在に軸支されるボス部７６を備えている。これにより、第２シャッタ７４は、支軸５２廻りの回動によって、ヘッド開口部１６の内周側の一部を閉塞する閉塞位置（図６参照）と、ヘッド開口部１６上から退避する開放位置（図９参照）とを取り得るようになっている。図１及び図６に示される如く、第１シャッタ６４と第２シャッタ７４とは、それぞれ閉塞位置に位置する状態では、互いの当接端面６４Ａ、７４Ａを突き当ててヘッド開口部１６を完全に閉塞する構成である。
【００４６】
当接端面７４Ａは、支軸５２の軸心廻りの円弧状に形成されている。一方、当接端面６４Ａは、第１シャッタ６４、第２シャッタ７４が共に閉塞位置に位置する状態で、当接端面７４Ａにほぼ隙間なく当接する円弧形状に形成されている。これにより、第２シャッタ７４は、第１シャッタ６４の回動位置に依らず支軸５２廻りの回動が可能とされており、ヘッド開口部１６の開閉に伴って第１シャッタ６４と干渉することが確実に防止されてスムースに作動するようになっている。
【００４７】
そして、第１シャッタ６４は、インナロータ６０の軸心廻りに図６に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿うカム溝７８が設けられており、このカム溝７８には第１シャッタ６４のカム突起７２が入り込んでいる。
【００４８】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム突起７２がカム溝７８の溝壁を押圧することで第２シャッタ７４が矢印Ｅ方向に回動するようになっている。カム突起７２は、ヘッド開口部１６の閉塞状態ではカム溝７８における支軸５２側の端部近傍に位置しており、図７及び図８に示される如くインナロータ６０の矢印Ｄ方向への回動に伴って支軸５２から離間するよう相対移動する構成である。
【００４９】
そして、本実施形態では、図８に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム突起７２の移動軌跡に一致する円弧状に形成されている。これにより、第１シャッタ６４は、第２シャッタ７４と干渉することなく図８に示す回動位置から図９に示す開放位置へ移動するようになっている。また、シャッタ機構１８では、ヘッド開口部１６の開放状態からインナロータ６０を矢印Ｄと反対方向に回動することで、図８及び図７に示す状態を経て図６に示すヘッド開口部１６の閉塞状態に復帰する構成である。
【００５０】
また、図１及び図２に示される如く、第２シャッタ７４の上面からは、円弧状に形成された第２凸部８０が突設されている。第２凸部８０は、ヘッド開口部１６を閉塞した状態で、周方向端部をそれぞれ第１凸部６８の対応する周方向端部に突き合わせることで、環状のディスク内周受け部９０を形成するようになっている。第２シャッタ７４における第２凸部８０の外側（径方向内側）は、切欠部７４Ｂ（図２参照）とされている。したがって、第１シャッタ６４及び第２シャッタ７４が共に閉塞位置に位置する状態で、チャッキング開口部４２は完全に開放される構成とされている。換言すれば、チャッキング開口部４２は、切欠部６５Ａ、７４Ｂによって常に開放されてディスク開口部２０と連通する構成である。
【００５１】
図３にも示される如く、第２凸部８０における当接端面７４Ａ側の一端部８０Ａは、テーパ形状とされている。一端部８０Ａは、本実施の形態では、上方、周方向先端側、及び径方向内側をそれぞれ向く湾曲面とされている。第１凸部６８における第２凸部８０の一端部８０Ａに突き合わされる一端部６８Ａは、該一端部８０Ａに対応するテーパ形状とされている。これにより、ヘッド開口部１６の閉塞状態で、第１凸部６８と第２凸部８０とが周方向端部を突き合わせて環状に形成されるディスク内周受け部９０に隙間が生じ難い構成とされている。
【００５２】
ヘッド開口部１６を閉塞した状態で第１凸部６８と第２凸部８０とで環状に形成されるディスク内周受け部９０は、その上端面をディスクメディア１２の下面におけるチャッキングエリア１２Ｃに下方から当接させる（下側から支持する）構成である。このため、ディスクメディア１２の下面すなわち記録面１２Ｂ側には、常に開放されているチャッキング開口部４２を経由してダスト類が侵入することがない構成とされている。なお、第２凸部８０の上面には後述するクリーニング部材９２が設けられ、直接的にはクリーニング部材９２と第１凸部６８とがディスクメディア１２のチャッキングエリア１２Ｃに当接するようになっている。
【００５３】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面１２Ｂよりも径方向外側部分の残余の一部に下方から接する（下側から支持する）構成である。これにより、ディスクメディア１２の下面すなわち記録面１２Ｂ側には、ディスク開口部２０を経由してダスト類（塵埃等）が侵入することがない構成とされている。
【００５４】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００５５】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００５６】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００５７】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００５８】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、該部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００５９】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６０】
［クリーニング部材の構成］
図１乃至図３に示される如く、第２シャッタ７４に設けられディスク内周受け部９０を構成する第２凸部８０の一端部８０Ａを除く上面には、クリーニング部材９２が設けられている。クリーニング部材９２は、第２凸部８０の略円弧状である平面視形状に形成された不織布にて構成されており、接着等によって第２凸部８０上面に固定的に取り付けられている。
【００６１】
図４（Ａ）に示される如く、クリーニング部材９２は、第２凸部８０と第１凸部６８とが周方向端部を突き合わせてディスク内周受け部９０を形成した状態で、ディスクメディア１２のチャッキングエリア１２Ｃの周方向一部に軽く接触するようになっている。この状態で、クリーニング部材９２は厚み方向に若干圧縮されていても良い。また、この状態で第１凸部６８とチャッキングエリア１２Ｃとの間には隙間が生じないようになっている。したがって、クリーニング部材９２は、ヘッド開口部１６の閉塞状態で、第１凸部６８及び第２凸部８０と共に、ディスクメディア１２のチャッキングエリア１２Ｃに当接してチャッキング開口部４２を経由したダスト類の侵入を防止するディスク内周受け部９０を構成するようになっている。
【００６２】
そして、クリーニング部材９２は、第２シャッタ７４が矢印Ｅ方向に回動する動作に伴って、ディスクメディア１２の下面すなわち記録面１２Ｂの一部を払拭（ワイピング）するようになっている。具体的には、図５に示される如く、クリーニング部材９２は、第２シャッタ７４が閉塞位置から開放位置まで移動する範囲内で、記録面１２Ｂの内縁から径方向中間部を超えた所定範囲（図５にハッチングを施した範囲）を払拭する構成である。
【００６３】
クリーニング部材９２は、第２シャッタ７４が開放位置から閉塞位置へ移動する際にも、同様の範囲を払拭するようになっている。したがって、ディスクカートリッジ１０は、第２凸部８０をディスクメディア１２の記録面１２Ｂに干渉させないための機構を備えていない。
【００６４】
また、第１シャッタ６４、第２シャッタ７４がヘッド開口部１６を開閉する際には、ディスクメディア１２は第１凸部６８、外周受け凸部７０によって支持されているため、クリーニング部材９２は記録面１２Ｂに押し付けられることなく該記録面１２Ｂを払拭するようになっている。このため、クリーニング部材９２は、記録面１２Ｂに付着しているダスト類を拭き取る拭き取り作用を果たすものではなく、記録面１２Ｂに付着しているダスト類の付着力を弱める（付着状態よりも物理的に剥離する）構成とされている。これにより、記録面１２Ｂに付着したダスト類が、ディスクメディア１２の回転に伴う遠心力、表層空気流、またはこれら双方の作用によって除去され易い状態となり、かつクリーニング部材９２による記録面１２Ｂの払拭によって該記録面１２Ｂにダメージを与えることがない構成とされている。
【００６５】
さらに、図４（Ｂ）に示される如く、クリーニング部材９２は、ドライブ装置の回転スピンドル軸９４がディスクメディア１２のセンタ孔１２Ａ及びチャッキングエリア１２Ｃにおいて該ディスクメディア１２をチャッキングした状態、すなわち、ディスクメディア１２を軸線方向上側に移動（浮上）させる回転状態では、記録面１２Ｂから離間するようになっている。すなわち、上記の如く、クリーニング部材９２は、第１凸部６８の上面と略面一とされるか、圧縮状態でディスクメディア１２に当接する構成においてはディスクメディア１２の浮上量よりも圧縮量が小さい構成とされている。
【００６６】
次に、本実施形態の作用を説明する。
【００６７】
上記構成のディスクカートリッジ１０では、保管時や運搬時等の不使用時には第１シャッタ６４、第２シャッタ７４がそれぞれ閉塞位置に位置してヘッド開口部１６を閉塞している。さらに、ディスク押え部材８４がディスク押えばね８６の付勢力によってディスクメディア１２を下方に押し付け、該ディスクメディア１２のガタつきを防止している。
【００６８】
また、第１凸部６８とクリーニング部材９２を有する第２凸部８０とが環状のディスク内周受け部９０を形成し、このディスク内周受け部９０の上端面がディスクメディア１２のチャッキングエリア１２Ｃに当接している。さらに、外周受け凸部７０とディスク受け部材８２のディスク外周受け部８２Ａとが環状を成してディスクメディア１２の記録面１２Ｂよりも径方向外側部分に当接している。これらにより、ディスクメディア１２の内周側から記録面１２Ｂ側へのダスト類の侵入、ディスクメディア１２の外周側から記録面１２Ｂ側へのダスト類の侵入が防止されると共に、ディスクメディア１２の記録面１２Ｂが第１シャッタ６４、第２シャッタ７４に接触することが防止されている。
【００６９】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００７０】
すると、インナロータ６０すなわち第１シャッタ６４が矢印Ｄ方向に回動し、これに連動して第２シャッタ７４が矢印Ｅ方向に回動する。そして、図７及び図８に示す状態を経て、操作突起６６がシャッタ操作窓４６の後端まで移動すると、図９に示される如くヘッド開口部１６が完全に開放された状態になる。
【００７１】
このとき、第２シャッタ７４の第２凸部８０の上端面に設けられたクリーニング部材９２が、矢印Ｅ方向の回動によってディスクメディア１２の記録面１２Ｂを払拭する。
【００７２】
次いで、ドライブ装置内では、底板３８の基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア１２Ｃ）をチャッキングして該ディスクメディア１２を保持しつつ第１シャッタ６４の上面から離間させる。そして、回転スピンドル軸が回転すると、ディスクメディア１２がケース１４内で非接触で回転駆動される。一方、ヘッド開口部１６からはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【００７３】
ディスクメディア１２の使用後には、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、これに連動して第２シャッタ７４が矢印Ｅとは反対方向に回動する。そして、図８及び図７に示す状態を経て、操作突起６６がシャッタ操作窓４６の前端まで移動すると、図６に示される如くヘッド開口部１６が完全に閉塞された状態に復帰する。
【００７４】
このとき、第２シャッタ７４の第２凸部８０の上端面に設けられたクリーニング部材９２が、矢印Ｅとは反対方向の回動によってディスクメディア１２の記録面１２Ｂを払拭する。そして、第１シャッタ６４と第２シャッタ７４とがヘッド開口部１６を閉塞するのに伴って、第１凸部６８と第２凸部８０とが互いの周方向端部を突き合わせてディスク内周受け部９０が形成され、このディスク内周受け部９０の上端面がディスクメディア１２のチャッキングエリア１２Ｃに当接する。以上により、ディスクカートリッジ１０は使用前の状態に復帰する。
【００７５】
ところで、ドライブ装置内においてヘッド開口部１６が開放されると、ケース１４内における底板３８とディスクメディア１２の下面（記録面１２Ｂ）との間にダスト類が侵入することがある。このダスト類は、ディスクカートリッジ１０の不使用時に静電気等によってディスクメディア１２の記録面１２Ｂに付着することがある。
【００７６】
ここで、第２シャッタ７４の動作に追従するクリーニング部材９２がヘッド開口部１６の開放動作に伴ってディスクメディア１２の記録面１２Ｂにおける内周側の一部を払拭するため、ディスクメディア１２の記録面１２Ｂ付着したダスト類が該記録面１２Ｂから除去されやすい状態になる。このため、記録面１２Ｂに付着したダスト類は、ディスクメディア１２の回転に伴う遠心力や表層空気流が弱い記録面の内周側内部分においも、該遠心力や表層空気流によって記録面１２Ｂから効果的に除去される。
【００７７】
特に、ディスクメディア１２の軸心から偏心した支軸５２廻りに回動する第２シャッタ７４のヘッド開口部１６の開放動作を利用して記録面１２Ｂを払拭するクリーニング部材９２を設けたため、換言すれば、クリーニング部材９２がディスクメディア１２の径方向内側から外側へ向けて記録面１２Ｂを払拭するため、径方向外側に向く上記遠心力や表層空気流によってダスト類を一層効果的に除去することができる。
【００７８】
このように、本実施形態にディスクカートリッジ１０では、ディスクメディア１２の記録面１２Ｂに付着したダストを除去することができる。また、クリーニング部材９２は、ディスクメディア１２に対する押し付け力が殆ど作用しない状態で記録面１２Ｂを軽く払拭する構成であるため、該記録面１２Ｂにダメージを与えてしまうことがない。
【００７９】
また、ディスクカートリッジ１０では、クリーニング部材９２が不織布にて構成されているため、ディスクメディア１２の記録面１２Ｂを強く押し付けられることなく払拭しても、該記録面１２Ｂに付着したダスト類を確実に除去しやすい状態とすることができる。
【００８０】
さらに、ディスクカートリッジ１０では、クリーニング部材９２が回転駆動されるディスクメディア１２に対し非接触となるため、ディスクメディア１２の使用時に図９に示す位置に位置するクリーニング部材９２が記録面１２Ｂにおける径方向の特定範囲にのみ接触し続けることが防止される。すなわち、高速で回転するディスクメディア１２の記録面１２Ｂにクリーニング部材９２が接触してダメージを与えることが防止される。
【００８１】
さらにまた、ヘッド開口部１６の開放に伴ってディスクメディア１２との接触（平面視で干渉する）位置をチャッキングエリア１２Ｃから、該チャッキングエリア１２Ｃよりも径方向外側に位置する記録面１２Ｂに変化させる第２凸部８０（第２シャッタ７４）にクリーニング部材９２を設けたため、クリーニング部材を設けない場合に必要とされる、第２凸部８０をディスクメディア１２に干渉させないための機構（例えば、ヘッド開口部の開閉に伴って第１シャッタを持ち上げる機構等）が不要とされる。これにより、ディスクカートリッジ１０の構造が簡素化される。
【００８２】
なお、上記実施形態では、クリーニング部材９２が第２凸部８０に設けられた好ましい構成を示したが、本発明はこれに限定されず、例えば、第２凸部８０と共に第２シャッタ７４の他の部分にクリーニング部材９２を設けて記録面１２Ｂの外周部まで払拭するようにしても良く、ディスク内周受け部９０を備えない構成（ディスク開口部２０を備えず、チャッキング開口部４２がヘッド開口部１６と共に開閉される構成）ではクリーニング部材９２を第２シャッタ７４の上面に設けても良い。
【００８３】
また、上記実施形態では、クリーニング部材９２が不織布より成る好ましい構成を示したが、本発明はクリーニング部材９２の材質等によって限定されることはない。
【００８４】
さらに、上記の実施形態では、ケース１４にディスク開口部２０が設けられている構成を例示したが、本発明はこれに限定されず、例えば、天板２８が開口部を備えない構成としても良く、ディスク開口部２０に代えて天板２８にもヘッド開口部１６またはアクセス開口４４を設けた構成として良い。後者の場合、天板２８とディスクメディア１２との間にシャッタ機構１８または別のシャッタ機構を設けることができる。また、上記の実施形態では、チャッキング開口部４２が常時開放される構成としたが、本発明はこれに限定されず、チャッキング開口部４２がヘッド開口部１６と共に第１シャッタ６４及び第２シャッタ７４にて閉塞される構成であっても良い。但し、本発明は、ディスク開口部２０を有するか、またはチャッキング開口部４２が常時開放される構成に、好適に適用される。
【００８５】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。また、本発明におけるディスクカートリッジ１０は、ディスクメディア１２を構成要素とするものには限られず、例えば、ディスクメディア１２に使用に際して該ディスクメディア１２を収容するものであっても良い。
【図面の簡単な説明】
【００８６】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジを構成するシャッタ機構の分解斜視図である。
【図４】本発明の一実施形態に係るディスクカートリッジを構成するクリーニング部材のディスクメディアと接離状態を示す図であって、（Ａ）はヘッド開口部の閉塞状態を示す断面図、（Ｂ）はヘッド開口部の開放状態を示す断面図である。
【図５】本発明の一実施形態に係るディスクカートリッジを構成するクリーニング部材によるディスクメディア記録面の払拭範囲を示す模式的な底面図である。
【図６】本発明の一実施形態に係るディスクカートリッジを構成するシャッタ機構によるヘッド開口部の閉塞状態を示す模式的な平面図である。
【図７】本発明の一実施形態に係るディスクカートリッジを構成するシャッタ機構のヘッド開口部の閉塞または開放過程を示す模式的な平面図である。
【図８】本発明の一実施形態に係るディスクカートリッジを構成するシャッタ機構のヘッド開口部の閉塞または開放過程の図７とは異なる状態を示す模式的な平面図である。
【図９】本発明の一実施形態に係るディスクカートリッジを構成するシャッタ機構によるヘッド開口部の開放状態を示す模式的な平面図である。
【図１０】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【符号の説明】
【００８７】
１０    ディスクカートリッジ
１２    ディスクメディア
１２Ａ  センタ孔
１２Ｂ  記録面
１４    ケース
１６    ヘッド開口部
６４    第１シャッタ
６８    第１凸部
７４    第２シャッタ
８０    第２凸部
９０    ディスク内周受け部
９２    クリーニング部材
【図１】
2005267770.tif 000003
【図２】
2005267770.tif 000004
【図３】
2005267770.tif 000005
【図４】
2005267770.tif 000006
【図５】
2005267770.tif 000007
【図６】
2005267770.tif 000008
【図７】
2005267770.tif 000009
【図８】
2005267770.tif 000010
【図９】
2005267770.tif 000011
【図１０】
2005267770.tif 000012